(57)【要約】【課題】本発明は、各日付の画像データが複数ある場合でも、画像データがどれくらいあるのか表現することができる画像再生装置を提供する。【解決手段】本実施の形態の画像再生装置は、複数の画像データ及び各画像データの撮影日時を記憶する記憶手段と、前記画像データの撮影日時を含む複数の日時情報を表示する第２の表示手段と、前記第２の表示手段で表示されている複数の日時情報のうち１つの日時情報を選択する選択手段と、前記選択手段で選択された日時情報に対応する複数の画像データを取得する取得手段と、前記取得手段で取得された複数の画像データを連続して表示する第１の表示手段と、前記取得手段で取得された画像データの総数から画像データの表示間隔を決定する表示間隔決定手段とを備え、前記第１の表示手段は、前記表示間隔決定手段で決定した表示間隔で複数の画像データを連続して表示する。【選択図】図１
2011176656.tif 000002
【特許請求の範囲】
【請求項１】
複数の画像データ及び各画像データの撮影日時を記憶する記憶手段と、
前記画像データの撮影日時を含む複数の日時情報を表示する第２の表示手段と、
前記第２の表示手段で表示されている複数の日時情報のうち１つの日時情報を選択する選択手段と、
前記選択手段で選択された日時情報に対応する複数の画像データを取得する取得手段と、
前記取得手段で取得された複数の画像データを連続して表示する第１の表示手段と、
前記取得手段で取得された画像データの総数から画像データの表示間隔を決定する表示間隔決定手段とを備え、
前記第１の表示手段は、前記表示間隔決定手段で決定した表示間隔で複数の画像データを連続して表示することを特徴とした画像再生装置。
【請求項２】
前記表示間隔決定手段は、決定された表示間隔が一定数以下である場合には、表示間隔を特定の値に変更することを特徴とする請求項１の画像再生装置。
【請求項３】
複数の画像データ及び各画像データの撮影日時を記憶する記憶手段と、
前記画像データの撮影日時を含む複数の日時情報を表示する第２の表示手段と、
前記第2の表示手段で表示された日時情報に対応する複数の画像データを取得する取得手段と、
前記取得手段で取得された複数の画像データを表示する第１の表示手段と、
前記取得手段で取得された画像データの総数から、前記第2の表示手段で表示される日時情報に付加する情報を決定する付加情報決定手段とを備え、
前記第２の表示手段は、前記付加情報決定手段で決定した情報を日時情報に付加して表示することを特徴とした画像再生装置。
【発明の詳細な説明】
【技術分野】
【０００１】
本発明は、画像データを再生できる画像再生装置に関し、特に、複数の画像データを連続して表示することができるスライドショー表示に関するものである。            
【背景技術】
【０００２】
従来、画像再生装置は、日付毎に管理された画像データをカレンダー表示上に表示する場合、カレンダーの日付上、あるいはカレンダー表示の横に縮小した画像を表示するものが知られている。
【０００３】
特許文献１では、指定した日付の画像データをボタン操作あるいは所定の時間で順番に切り替えて表示することが開示されている。
【０００４】
このように、従来の画像再生装置は、ボタン操作あるいは所定の時間により、指定した日付の画像データを順番に再生することができる。              
【先行技術文献】
【特許文献】
【０００５】
【特許文献１】特開２００９−９１４２号公報
【発明の概要】
【発明が解決しようとする課題】
【０００６】
しかしながら、従来の画像再生装置は、単に画像データをボタン操作あるいは所定の時間で順番に再生するだけであるため、指定した日付の画像データが複数ある場合、どれだけの画像データ数があるかわかりにくいという問題があった。
【０００７】
そこで、本発明は、上記従来の問題点を解決すべく、各日付の画像データが複数ある場合でも、画像データがどれくらいあるのか表現することができる画像再生装置を提供することを目的とする。    
【課題を解決するための手段】
【０００８】
上記目的を達成するために、本発明の画像再生装置は、複数の画像データ及び各画像データの撮影日時を記憶する記憶手段と、前記画像データの撮影日時を含む複数の日時情報を表示する第２の表示手段と、前記第２の表示手段で表示されている複数の日時情報のうち１つの日時情報を選択する選択手段と、前記選択手段で選択された日時情報に対応する複数の画像データを取得する取得手段と、前記取得手段で取得された複数の画像データを連続して表示する第１の表示手段と、前記取得手段で取得された画像データの総数から画像データの表示間隔を決定する表示間隔決定手段とを備え、前記第１の表示手段は、前記表示間隔決定手段で決定した表示間隔で複数の画像データを連続して表示することを特徴とした画像再生装置としたものである。            
【発明の効果】
【０００９】
上記の構成によれば、選択した日付の画像データを再生しながら、画像データ数を表現することができる画像再生装置を提供できる。        
【図面の簡単な説明】
【００１０】
【図１】実施の形態１にかかる画像再生装置のブロック図
【図２】実施の形態１にかかる画像再生装置の表示部の一例を示す図
【図３】実施の形態１にかかる画像再生装置において、所望の日付の画像データを表示するためのフローチャート
【図４】複数枚の画像データを表示する場合の1枚ごとの表示時間を示す図
【図５】実施の形態２にかかる画像再生装置のブロック図
【図６】実施の形態２にかかる画像再生装置において、カレンダー表示の日付に付加される情報を表示するためのフローチャート
【図７】実施の形態２にかかる画像再生装置における付加情報アイコンの一例を示す図
【図８】実施の形態２にかかる画像再生装置におけるカレンダー表示の一例を示す図
【発明を実施するための形態】
【００１１】
以下、本発明の音楽再生機器の実施の形態について、図面を参照しながら説明する。
（実施の形態１）
図１に、実施の形態１にかかる画像再生装置のブロック図を示す。
【００１２】
画像再生装置１００は、制御部１０１と、表示間隔決定部１０２と、メモリ１０３と、タイマー１０４と、操作部１０５と、表示部１０６と構成される。
【００１３】
制御部１０１は、表示間隔決定部１０２、メモリ１０３、タイマー１０４、操作部１０５、表示部１０６をはじめとする装置全体の動作を制御する。
【００１４】
メモリ１０３は、画像データを格納する。
【００１５】
操作部１０５は、使用者の所望の操作を受け付ける。例えば、メモリ１０３に記憶された画像データを選択する。
【００１６】
タイマー１０４は、画像データの再生時間を設定したり、現在時刻を管理する。
【００１７】
表示部１０６は、図２に示すように、操作部１０５で選択された画像データを表示する第１の表示領域１０７と、タイマー１０４で管理されている時間情報から作られたカレンダーを表示する第2の表示領域１０８をもつ。
【００１８】
表示間隔決定部１０２は、表示部１０６で画像データを表示する際に、操作部１０５で選択された画像データの数に応じた表示間隔を決定する。
【００１９】
次に、画像再生装置１００の動作を説明する。
【００２０】
図３は、所望の日付の画像データを表示するフローチャートである。
【００２１】
操作部は１０５、表示部１０６の第2の表示領域に表示された1ヶ月分のカレンダーの日付から所望の日付を選択し、ステップＳ１０１に行く（ステップＳ１００）。本実施の形態では、カレンダー表示を1ヶ月単位で表示するものとしたが、第2の表示領域に表示できる範囲内であれば1ヶ月には限るものではない。
【００２２】
選択された日付に対応する撮影日をもつ画像データをメモリ１０３から呼び出し、ステップＳ１０２にいく（ステップＳ１０１）。
【００２３】
呼び出された画像データの枚数を計算し、ステップＳ１０３にいく（ステップＳ１０２）。
【００２４】
画像データの枚数に応じて、1枚あたりの再生時間を決定し、ステップＳ１０４に行く（ステップＳ１０３）。
【００２５】
ステップＳ１０３で決定された表示時間で画像データを切り替えて表示する（ステップＳ１０４）。
【００２６】
図４は、複数枚の画像データを表示する場合の1枚ごとの表示時間を示す。
【００２７】
本実施の形態では、例えば、全ての画像データが一巡して再生終了する時間を２０秒、1枚あたりの最小表示時間を3秒と設定している。
【００２８】
図４（ａ）は、選択された日付に関連付けられた画像データが2枚の場合を示す。
【００２９】
全ての画像データを表示する時間は２０秒で、表示する画像データは2枚なので、1枚あたりの画像データの表示時間は１０秒となる。従って、
1枚目の画像データを再生開始し、１０秒で2枚目の画像データに切り替えて、さらに１０秒再生する。その後は、1枚目の画像データから、また前記動作を繰り返す。
【００３０】
図４（ｂ）は、選択された日付に関連付けられた画像データが４枚の場合を示す。
【００３１】
全ての画像データを表示する時間は２０秒で、表示する画像データは４枚なので、1枚あたりの画像データの表示時間は５秒となる。従って、
1枚目の画像データを再生開始し、５秒で2枚目の画像データに切り替えて、さらに５秒再生する。その後は、3枚目、４枚目の順で５秒ごとに画像データを切り替える。4枚目まで再生が一巡したら、また前記動作を繰り返す。
【００３２】
図４（ｃ）は、選択された日付に関連付けられた画像データが１０枚の場合を示す。
【００３３】
全ての画像データを表示する時間は２０秒で、表示する画像データは１０枚なので、1枚あたりの画像データの表示時間は２秒となる。しかし、1枚あたりの最小表示時間は３秒なので、１０枚の画像データをすべて表示するためには、３０秒となる。これにより、画像データ1枚あたりの再生時間が短くなり過ぎるのを防ぐことができる。また、画像データ1枚あたりの再生時間の長さで、選択された日付に関連付けられた画像データ数がどれくらいあるのか目安になる。
（実施の形態２）
図５は、実施の形態２にかかる画像再生装置のブロック図を示す。
【００３４】
実施の形態２の画像再生装置は、実施の形態１のデジタル信号入力装置における表示間隔決定部１０２を、付加情報決定部２０１に置き換えたものである。それ以外の構成は、実施の形態１と同様であるため、各構成の説明は省略する。
【００３５】
以上のように構成された画像再生装置について、以下にその動作を説明する。
【００３６】
付加情報決定部２０１は、表示部１０６の第2の表示領域でカレンダーを表示する際に、操作部１０５で選択された画像データの数に応じて、カレンダーの日時情報に付加される画像データの総数を表現する情報を決定する。
【００３７】
図６は、カレンダーにおける付加情報を決定するフローチャートである。
【００３８】
操作部は１０５、表示部１０６の第2の表示領域に表示された1ヶ月分のカレンダーの全ての日付に対応する撮影日をもつ画像データの枚数を計算し、ステップＳ２０１にいく（ステップＳ２００）。
【００３９】
画像データの枚数に応じて、表示部１０６の第2の表示領域でカレンダーの日付に付加されるアイコンを決定する（ステップＳ２０１）。本実施の形態２では、図７に示すようなアイコンのうちから画像データの枚数に応じたアイコンを決定する。画像データの枚数が5枚までであればアイコン２０２、10枚までであればアイコン２０３、１５枚以上であればアイコン２０４を選択する。例えば、撮影日が２月１２日の画像データは5枚であれば、カレンダー表示で2月12日を示す箇所に付加される情報としてアイコン２０１を選択する。このように、カレンダーに表示される日付に撮影された画像データの枚数から、図８に示すようなカレンダー表示を行うことが出来る。
【００４０】
なお、実施の形態２では、画像データの数を表現するために、カレンダーの日付に付加情報を表示したが、カレンダーの日付そのものを異なる表現方法で表示しても良い。
【産業上の利用可能性】
【００４１】
本発明は、音画像データを再生できる画像再生装置に関し、特に、複数の画像データを連続して表示することができるスライドショー表示に関するものであって、各日付の画像データが複数ある場合でも、画像データがどれくらいあるのか表現することができる画像再生装置を提供できる。そのため、本発明は、デジタルカメラ等のようなデジタルデータを多く記録する機器に適用できる。
【符号の説明】
【００４２】
１００    画像再生装置
１０１    制御部
１０２    表示間隔決定部
１０３    メモリ
１０４    タイマー
１０５    操作部
１０６    表示部
１０７    第１の表示領域
１０８    第２の表示領域
２０１    付加情報決定部
【図１】
2011176656.tif 000003
【図２】
2011176656.tif 000004
【図３】
2011176656.tif 000005
【図４】
2011176656.tif 000006
【図５】
2011176656.tif 000007
【図６】
2011176656.tif 000008
【図７】
2011176656.tif 000009
【図８】
2011176656.tif 000010